(57)【要約】      （修正有）【課題】形態変化の前後で作動が変化するように形成でき、遊戯者に新規な印象を与えることができる形態変化玩具を提供する。【解決手段】胴体部と、前記胴体部に対して回動可能に設けられたレバーパーツ２１と、前記レバーパーツ２１に連動して前記胴体部の長手方向に沿って摺動可能な基幹パーツ２０と、前記基幹パーツ２０に接続された第１の歯車機構３１と、前記第１の歯車機構３１を作動させる駆動源３０と、前記第１の歯車機構３１と噛合して作動する第２の歯車機構３３と、前記第２の歯車機構３３に接続されて駆動する駆動パーツ１２等と、を備える。この構成により、前記レバーパーツ２１を回動させることで前記基幹パーツ２０が摺動して形態が変化するとともに、前記第１の歯車機構３１と前記第２の歯車機構３３との噛合が変化して、前記駆動パーツ１２等の作動が変化するようにした。【選択図】図７
0003177319.tif 000002
【実用新案登録請求の範囲】
【請求項１】
胴体部と、
前記胴体部に対して回動可能に設けらたレバーパーツと、
前記レバーパーツに連動して前記胴体部の長手方向に沿って摺動可能な基幹パーツと、
前記基幹パーツに接続された第１の歯車機構と、
前記第１の歯車機構を所定の方向に作動させる駆動源と、
前記第１の歯車機構と噛合して作動する第２の歯車機構と、
前記第２の歯車機構に接続されて駆動する駆動パーツと、
を備え、
前記レバーパーツを回動させることで前記基幹パーツが摺動して形態が変化するとともに、前記第１の歯車機構と前記第２の歯車機構との噛合が変化して、前記駆動パーツの作動が変化することを特徴とする、形態変化玩具。
【請求項２】
前記第２の歯車機構は冠歯車を備えるとともに、前記第１の歯車機構は前記冠歯車の一側周縁と噛合する平歯車を備え、
前記基幹パーツが摺動したときに前記平歯車が摺動して前記冠歯車の逆側周縁と噛合し、前記冠歯車の回転方向が変化することを特徴とする、請求項１記載の形態変化玩具。
【考案の詳細な説明】
【技術分野】
【０００１】
この考案は、形態変化玩具に関し、特に、形態の変化前後で作動が変化する形態変化玩具に関するものである。
【背景技術】
【０００２】
従来、形態の変化する玩具が種々提案されており、形態が変化するのみならず、モータ等の動力源を備えて作動する玩具も提案されている。例えば、特許文献１には、前輪を備えた前方車台と、後輪を備えた後方車台と、前記前方車台と前記後方車台とを連結し、かつ車台を折り曲げるための車台折曲機構とから構成され、前記前輪と後輪の少なくとも一方を駆動する駆動手段を設け、車台を折曲させることで前記前方車台の後端部が前記後方車台よりも高い位置となるまで前記前方車台が起き上がるようにした走行玩具が提案されている。
【先行技術文献】
【特許文献】
【０００３】
【特許文献１】特開２０１０−１２１１５号公報
【考案の概要】
【考案が解決しようとする課題】
【０００４】
しかし、上記した従来の玩具は、形態が変化するのみであり、形態変化の前後で作動まで変化するものではないため、形態を変化させたときのインパクトが小さいものとなっていた。
【０００５】
そこで、本考案は、形態変化の前後で作動が変化するように形成でき、遊戯者に新規な印象を与えることができる形態変化玩具を提供することを課題とする。
【課題を解決するための手段】
【０００６】
本考案は、上記した課題を解決するためになされたものであり、以下を特徴とする。
【０００７】
（請求項１）
請求項１に記載の考案は、以下の点を特徴とする。
【０００８】
すなわち、請求項１に記載の形態変化玩具は、胴体部と、前記胴体部に対して回動可能に設けられたレバーパーツと、前記レバーパーツに連動して前記胴体部の長手方向に沿って摺動可能な基幹パーツと、前記基幹パーツに接続された第１の歯車機構と、前記第１の歯車機構を作動させる駆動源と、前記第１の歯車機構と噛合して作動する第２の歯車機構と、前記第２の歯車機構に接続されて駆動する駆動パーツと、を備え、前記レバーパーツを回動させることで前記基幹パーツが摺動して形態が変化するとともに、前記第１の歯車機構と前記第２の歯車機構との噛合が変化して、前記駆動パーツの作動が変化することを特徴とする。
【０００９】
（請求項２）
請求項２に記載の考案は、上記した請求項１記載の考案の特徴点に加え、以下の点を特徴とする。
【００１０】
すなわち、前記第２の歯車機構は冠歯車を備えるとともに、前記第１の歯車機構は前記冠歯車の一側周縁と噛合する平歯車を備え、前記基幹パーツが摺動したときに前記平歯車が摺動して前記冠歯車の逆側周縁と噛合し、前記冠歯車の回転方向が変化することを特徴とする。
【考案の効果】
【００１１】
本考案は上記の通りであり、レバーパーツを回動させることで基幹パーツが摺動して形態が変化するとともに、第１の歯車機構と第２の歯車機構との噛合が変化して、駆動パーツの作動が変化するように形成されている。このため、形態変化の前後で作動が変化するように形成でき、遊戯者に新規な印象を与えることができる。
【００１２】
また、このような形態変化の操作がレバーパーツの回動操作のみで行えるため、誰でも容易に形態を変化させることができ、かつ、作動を切り替えることができる。
【図面の簡単な説明】
【００１３】
【図１】第１の実施形態に係る形態変化玩具の４足歩行形態（形態変化前）の外観斜視図である。
【図２】第１の実施形態に係る形態変化玩具の２足歩行形態（形態変化後）の外観斜視図である。
【図３】第１の実施形態に係る形態変化玩具の形態変化を説明する図であって、形態変化前の状態を示す図である。
【図４】第１の実施形態に係る形態変化玩具の形態変化を説明する図であって、形態変化後の状態を示す図である。
【図５】第１の実施形態に係る形態変化玩具の形態変化時の頭部の動きを説明する図であって、（ａ）形態変化前の状態を示す図、（ｂ）形態変化後の状態を示す図である。
【図６】第１の実施形態に係る形態変化玩具の形態変化時の腕部の動きを説明する図であって、（ａ）形態変化前の状態を示す図、（ｂ）形態変化後の状態を示す図である。
【図７】第１の実施形態に係る形態変化玩具の歯車機構を説明する図であって、４足歩行形態（形態変化前）における図である。
【図８】第１の実施形態に係る形態変化玩具の歯車機構を説明する図であって、２足歩行形態（形態変化後）における図である。
【図９】第２の実施形態に係る形態変化玩具の４足歩行形態（形態変化前）の外観斜視図である。
【図１０】第２の実施形態に係る形態変化玩具のヘリコプター形態（形態変化後）の外観斜視図である。
【図１１】第２の実施形態に係る形態変化玩具の形態変化を説明する図であって、（ａ）形態変化前の状態を示す図、（ｂ）形態変化中の状態を示す図、（ｃ）形態変化後の状態を示す図である。
【図１２】第２の実施形態に係る形態変化玩具の形態変化に係る機構を説明する図である。
【図１３】第２の実施形態に係る形態変化玩具の歯車機構を説明する図であって、４足歩行形態（形態変化前）における図である。
【図１４】第２の実施形態に係る形態変化玩具の歯車機構を説明する図であって、ヘリコプター形態（形態変化後）における図である。
【図１５】第３の実施形態に係る形態変化玩具の形態変化を説明する図であって、（ａ）形態変化前の状態を示す図、（ｂ）形態変化中の状態を示す図、（ｃ）形態変化後の状態を示す図である。
【図１６】第４の実施形態に係る形態変化玩具の形態変化を説明する図であって、（ａ）形態変化前の状態を示す図、（ｂ）形態変化中の状態を示す図、（ｃ）形態変化後の状態を示す図である。
【図１７】第３の実施形態に係る形態変化玩具と第４の実施形態に係る形態変化玩具とを合体させた状態を示す図である。
【考案を実施するための形態】
【００１４】
（第１の実施形態）
本考案の第１の実施形態について、図１〜８を参照しながら説明する。
【００１５】
本実施形態に係る形態変化玩具１０（Ａ）は、図１に示すように、形態変化前においては４足歩行の動物の形態（４足歩行形態）となっており、胴体部１４に、頭部１１と、左右２本の腕部１２と、左右２本の脚部１３と、尻尾状のレバーパーツ２１と、がそれぞれ回動可能に取り付けられている。
【００１６】
この形態変化玩具１０（Ａ）は、尻尾状のレバーパーツ２１を引き起こす操作をすることで、図２に示すようなロボットの形態（２足歩行形態）に変形するようになっている。具体的には、レバーパーツ２１を回動させることで、形態変化玩具１０（Ａ）の内部に設けられた基幹パーツ２０が摺動し、この動きに連動して、頭部１１、左右２本の腕部１２、左右２本の脚部１３、がそれぞれ胴体部１４に対して回動するとともに、２本の腕部１２は互いに離反する方向へ両側に突出する。
【００１７】
形態変化玩具１０（Ａ）の内部に設けられた基幹パーツ２０は、胴体部１４の長手方向に沿って摺動可能に配置されている。また、この基幹パーツ２０は、レバーパーツ２１によって胴体部１４と連結されることでリンク機構を構成しており、レバーパーツ２１を回動させたときに、レバーパーツ２１に連動して胴体部１４の長手方向に沿って摺動するように形成されている。
【００１８】
以下、形態変化玩具１０（Ａ）の変形について詳しく説明する。
【００１９】
まず、図３及び図４に示すように、レバーパーツ２１が回動軸２１ａを中心に回動すると、レバーパーツ２１に設けられた脚部支持部２１ｂが回動し、この脚部支持部２１ｂに支持された脚部１３（図示せず）が回動する。これにより、脚部１３は、胴体部１４に略直交する方向から胴体部１４と略平行な方向にまで、約９０度回動する。
【００２０】
また、レバーパーツ２１が回動したことによって基幹パーツ２０が摺動すると、図５に示すように、基幹パーツ２０先端の頭部連結部２０ａが頭部１１を押し込んで回動させる。すなわち、基幹パーツ２０先端の頭部連結部２０ａは、頭部１１の後端と連結されているため、基幹パーツ２０の摺動に連動して頭部１１が回動するように形成されている。
【００２１】
また、基幹パーツ２０が摺動することにより、図６に示すように、基幹パーツ２０に連動する第１連動片２２が回動する。この第１連動片２２は、基幹パーツ２０先端付近に設けられた連動片係合部２０ｂによってスライド自在に保持されており、基幹パーツ２０が摺動したときに押し込まれて回動軸２２ａを中心に回動するように形成されている。第１連動片２２が回動すると、この第１連動片２２のギアに噛合する第２連動片２３も回動軸２３ａを中心に回動する。このように第１連動片２２及び第２連動片２３が回動すると、この第１連動片２２及び第２連動片２３に支持された腕部１２が側方へ押し出される。
【００２２】
ところで、この形態変化玩具１０（Ａ）は、内部に駆動源３０（本実施形態においてはモータであるが、ゼンマイなどの他の駆動源を使用してもよい）を備えており、この駆動源３０が作動することで、内部の歯車機構が作動し、形態変化玩具１０（Ａ）が前進動作を行うように形成されている。そして、上記したように形態変化玩具１０（Ａ）が変形すると、内部の歯車の噛合も変化し、形態変化玩具１０（Ａ）の作動が変化するように形成されている。本実施形態においては、駆動パーツとしての腕部１２の動きが変化する。
【００２３】
具体的には、図７及び図８に示すように、基幹パーツ２０に接続された第１の歯車機構３１が駆動源３０によって所定の方向に作動すると、この駆動力が腕部１２に接続された第２の歯車機構３３に伝達されるが、この歯車機構３３によって作動する腕部１２の動く方向は形態変化の前後で変わるように形成されている。
【００２４】
４足歩行形態においては、図７に示すように、第１の歯車機構３１に含まれる平歯車３２と第２の歯車機構３３に含まれる冠歯車３４とが、冠歯車３４の後部周縁で噛合している。このため、駆動源３０が駆動すると冠歯車３４が所定の方向に回転し、腕部１２の出力軸１２ａが前進方向に回転することで腕部１２は前進方向に駆動される。このため、４足歩行形態においては、腕部１２が地面を後に蹴るように動くようになっている。
【００２５】
一方、２足歩行形態においては、図８に示すように、基幹パーツ２０が摺動したことにより、基幹パーツ２０に固定された第１の歯車機構３１も摺動し、これにより、第１の歯車機構３１と第２の歯車機構３３との噛合が変化している。具体的には、第１の歯車機構３１に含まれる平歯車３２が前方にスライドして移動したことで、平歯車３２が冠歯車３４の前部周縁（形態変化前に噛合していた周縁の逆側周縁）と噛合するように噛合が変化している。このため、駆動源３０が駆動すると冠歯車３４が形態変化前とは逆の方向に回転し、腕部１２の出力軸１２ａが後退方向に回転することで腕部１２は後退方向に駆動される。このため、２足歩行形態においては、腕部１２が２足歩行時の腕の振りを表現するように動くようになっている。
【００２６】
以上説明したように、本実施形態によれば、レバーパーツ２１を回動させることで基幹パーツ２０が摺動して形態が変化するとともに、第１の歯車機構３１と第２の歯車機構３３との噛合が変化して、腕部１２（駆動パーツ）の作動が変化するように形成されているため、形態変化の前後で作動が変化するように形成でき、遊戯者に新規な印象を与えることができる。
【００２７】
また、このような形態変化の操作がレバーパーツ２１の回動操作のみで行えるため、誰でも容易に形態を変化させることができ、かつ、作動を切り替えることができる。
【００２８】
（第２の実施形態）
本考案の第２の実施形態について、図９〜１４を参照しながら説明する。
【００２９】
本実施形態に係る形態変化玩具１０（Ｂ）は、図９に示すように、形態変化前においては４足歩行の動物の形態（４足歩行形態）となっており、胴体部１４に、頭部１１と、左右２本の腕部１２と、左右２本の脚部１３と、尻尾状のローター部１５と、腹部に配置されたレバーパーツ２１と、がそれぞれ回動可能に取り付けられている。
【００３０】
この形態変化玩具１０（Ｂ）は、腹部に配置されたレバーパーツ２１を引き起こす操作をすることで、図１０に示すような乗り物の形態（ヘリコプター形態）に変形するようになっている。具体的には、レバーパーツ２１を回動させることで、形態変化玩具１０（Ｂ）の内部に設けられた基幹パーツ２０が摺動し、この動きに連動して、頭部１１、左右２本の腕部１２、左右２本の脚部１３、ローター部１５、がそれぞれ胴体部１４に対して回動する。このとき、腕部１２及び脚部１３は折り畳まれる。また、ローター部１５は先端が放射状に開いてヘリコプターの回転翼の形状となる。
【００３１】
形態変化玩具１０（Ｂ）の内部に設けられた基幹パーツ２０は、胴体部１４の長手方向に沿って摺動可能に配置されている。また、この基幹パーツ２０は、レバーパーツ２１にの回転運動を直進運動に変換するラック機構を備えており、レバーパーツ２１を回動させたときに、レバーパーツ２１に連動して胴体部１４の長手方向に沿って摺動するように形成されている。
【００３２】
以下、形態変化玩具１０（Ｂ）の変形について詳しく説明する。
【００３３】
図１１及び図１２に示すように、レバーパーツ２１が回動軸２１ａを中心に回動すると、レバーパーツ２１に設けられた後部ギア２１ｃが回転する。この後部ギア２１ｃは、基幹パーツ２０の後端に設けられた第１ラック２０ｃと噛合しているため、後部ギア２１ｃが回転すると基幹パーツ２０は後方に摺動する。
【００３４】
基幹パーツ２０が後方に摺動すると、基幹パーツ２０の先端に設けられた第２ラック２０ｄが頭部ギア１１ｂを回転させる。この頭部ギア１１ｂが回転すると、これに連動して頭部１１が回動軸１１ａを中心に約１８０度回転する。これにより、頭部１１が前後にひっくり返って、動物の頭がヘリコプターのフロント部に変化する。
【００３５】
また、基幹パーツ２０の中央付近には第３ラック２０ｅが設けられており、基幹パーツ２０が後方に摺動すると、第３ラック２０ｅがローター支持部２４を回転させる。このローター支持部２４はローター部１５を支持する部材であり、ローター支持部２４が回転することで、ローター部１５が倒れた状態から立設した状態に約９０度回転する。このとき、ローター部１５の先端が放射状に開くことで、動物の尻尾がヘリコプターの回転翼に変化する。
【００３６】
また、基幹パーツ２０が後方に摺動すると、基幹パーツ２０が摺動可能に保持している腕変形用シャフト２５及び脚変形用シャフト２６が連動する。腕変形用シャフト２５が動くことで腕部１２が折り畳まれた状態に変形し、脚変形用シャフト２６が動くことで脚部１３が折り畳まれた状態に変形する。このとき、腕部１２が折り畳まれることで、腕部１２の内側に配置された車輪１２ｂが露出し、接地可能な状態となる。
【００３７】
ところで、この形態変化玩具１０（Ｂ）は、内部に駆動源３０（本実施形態においてはモータであるが、ゼンマイなどの他の駆動源を使用してもよい）を備えており、この駆動源３０が作動することで、内部の歯車機構が作動し、形態変化玩具１０（Ｂ）が前進動作を行うように形成されている。そして、形態変化玩具１０（Ｂ）が変形すると、内部の歯車の噛合も変化し、形態変化玩具１０（Ｂ）の作動が変化するように形成されている。本実施形態においては、駆動パーツとしてのローター部１５の動きが変化する。
【００３８】
４足歩行形態においては、図１３に示すように、基幹パーツ２０に接続された第１の歯車機構３１が駆動源３０によって所定の方向に作動すると、出力軸１２ａが回転することで腕部１２が前進方向に回転する。このため、４足歩行形態においては、腕部１２が地面を後に蹴るように動く。このとき、ローター部１５の基端に設けられたローターギア１５ａ（第２の歯車機構３３）が第１の歯車機構３１と噛合していないため、ローター部１５へは動力が伝達されず、ローター部１５は作動しない。
【００３９】
一方、ヘリコプター形態においては、図１４に示すように、車輪１２ｂが接地しているため、この車輪１２ｂによって前進する動きとなっている。また、基幹パーツ２０が摺動してローター部１５が回動したことにより、第１の歯車機構３１とローターギア１５ａ（第２の歯車機構３３）とが噛合する配置となっている。このため、ローター部１５へ駆動源３０の動力が伝達され、ローター部１５が回転するようになっている。
【００４０】
以上説明したように、本実施形態によれば、レバーパーツ２１を回動させることで基幹パーツ２０が摺動して形態が変化するとともに、第１の歯車機構３１と第２の歯車機構３３との噛合が変化して、ローター部１５（駆動パーツ）の作動が変化するように形成されているため、形態変化の前後で作動が変化するように形成でき、遊戯者に新規な印象を与えることができる。
【００４１】
また、このような形態変化の操作がレバーパーツ２１の回動操作のみで行えるため、誰でも容易に形態を変化させることができ、かつ、作動を切り替えることができる。
【００４２】
（第３の実施形態）
本考案の第３の実施形態について、図１５〜１７を参照しながら説明する。
【００４３】
本実施形態に係る形態変化玩具１０（Ｃ）及び形態変化玩具１０（Ｄ）は、３段階に形態変化するものとなっており、最終段階に形態変化した後に互いに合体可能となっている。
【００４４】
図１５に示す形態変化玩具１０（Ｃ）は、形態変化前においてはザリガニのような動物の形態となっており（図１５（ａ）参照）、形態変化することでロボット状に形態変化する（図１５（ｂ）参照）。なお、形態変化に係る具体的な構造は特に図示しないが、第１の実施形態や第２の実施形態と同様の構造を採用すればよい。この形態変化玩具１０（Ｃ）は、上記した２つの形態から更に変形可能となっており、図１５（ｃ）に示すような合体のための形態に変形することができる。
【００４５】
また、図１６に示す形態変化玩具１０（Ｄ）は、形態変化前においてはカエルのような動物の形態となっており（図１６（ａ）参照）、形態変化することでロボット状に形態変化する（図１６（ｂ）参照）。なお、形態変化に係る具体的な構造は特に図示しないが、第１の実施形態や第２の実施形態と同様の構造を採用すればよい。この形態変化玩具１０（Ｄ）は、上記した２つの形態から更に変形可能となっており、図１６（ｃ）に示すような合体のための形態に変形することができる。
【００４６】
上記したように合体のための形態に変形した形態変化玩具１０（Ｃ）と形態変化玩具１０（Ｄ）とは互いに合体させることが可能となっている。具体的には、２つの形態変化玩具１０を合体させることで図１７に示すような走行玩具を形成することができる。
【００４７】
本実施形態によれば、変形させた後に合体させることができるため、第１の実施形態及び第２の実施形態の効果に加え、更に興趣に富んだ玩具を提供できる。
【符号の説明】
【００４８】
１０  形態変化玩具
１１  頭部
１１ａ  回動軸
１１ｂ  頭部ギア
１２  腕部（駆動パーツ）
１２ａ  出力軸
１２ｂ  車輪
１３  脚部
１３ａ  出力軸
１４  胴体部
１５  ローター部（駆動パーツ）
１５ａ  ローターギア
２０  基幹パーツ
２０ａ  頭部連結部
２０ｂ  連動片係合部
２０ｃ  第１ラック
２０ｄ  第２ラック
２０ｅ  第３ラック
２１  レバーパーツ
２１ａ  回動軸
２１ｂ  脚部支持部
２１ｃ  後部ギア
２２  第１連動片
２２ａ  回動軸
２３  第２連動片
２３ａ  回動軸
２４  ローター支持部
２５  腕変形用シャフト
２６  脚変形用シャフト
３０  駆動源
３１  第１の歯車機構
３２  平歯車
３３  第２の歯車機構
３４  冠歯車
Ａ  第１の実施形態に係る形態変化玩具
Ｂ  第２の実施形態に係る形態変化玩具
Ｃ、Ｄ  第３の実施形態に係る形態変化玩具
【図１】
0003177319.tif 000003
【図２】
0003177319.tif 000004
【図３】
0003177319.tif 000005
【図４】
0003177319.tif 000006
【図５】
0003177319.tif 000007
【図６】
0003177319.tif 000008
【図７】
0003177319.tif 000009
【図８】
0003177319.tif 000010
【図９】
0003177319.tif 000011
【図１０】
0003177319.tif 000012
【図１１】
0003177319.tif 000013
【図１２】
0003177319.tif 000014
【図１３】
0003177319.tif 000015
【図１４】
0003177319.tif 000016
【図１５】
0003177319.tif 000017
【図１６】
0003177319.tif 000018
【図１７】
0003177319.tif 000019